(57)【要約】【課題】電子機器冷却用送風ファンの軸ソケット中管構造を簡易化する。【解決手段】送風ファンの軸ソケット中管構造を基台１と、軸筒１１と、密閉部材２とから構成し、前記軸筒は、前記基台と一体成形し、同心状に外側部１１１及び内側部１１２及び上部１１３からなり、上部１１３によって該外側部１１１及び内側部１１２の間を閉塞して、収容空間１２を形成する。軸受け孔１３は該内側部内に形成され、動翼ハブ５の軸５２を挿通して軸受けを介して固定子組４を設けると制御回路を搭載した基板４２を配置し、密閉部材２によって収容空間を密閉する。基板は、軸孔を形成する必要がなく、組み立て構造を簡易化できる。【選択図】図７
0003163119.tif 000002
【実用新案登録請求の範囲】
【請求項１】
ファン装置に応用される軸ソケット中管構造であって、
該構造は、基台と軸筒と密閉部材とからなり、
該軸筒は、筒状の外側部及び内側部を同心円状に設けて外側部を基台に接続すると共にその他端側で内側に配置した内側部との間を上部で閉塞して収容空間を形成し、
ファンの軸受け孔を該軸筒の内側部に設けて開放端とすると共に、該軸筒の外側部と接続する基台側を該収容空間と軸受け孔に連通する開放部とし、
該開放部を閉塞する密閉部材によって密閉したことを特徴とする、
軸ソケット中管構造。
【請求項２】
前記収容空間は、開放側及び上部により閉塞された密閉側を有し、前記開放側は、前記開放部と連通する請求項１に記載の軸ソケット中管構造。
【請求項３】
前記基台及び軸筒は、一体に成形された請求項１に記載の軸ソケット中管構造。
【請求項４】
前記内側部の軸受け孔内側面に凸体を形成し、少なくとも１つの軸受けは、該凸体に接して設けられた請求項１に記載の軸ソケット中管構造。
【請求項５】
ファン装置であって、
基台、軸筒、通孔を設けた基板を有する固定子組、軸受け、動翼ハブ、及び密閉部材とからなり、
該軸筒は、筒状の外側部及び内側部を同心円状に設けて外側部を基台に接続すると共にその他端側で内側に配置した内側部との間を上部で閉塞して収容空間を形成し、
ファンの軸受け孔を該軸筒の内側部に設けて開放端とすると共に、該軸筒の外側部と接続する基台側を該収容空間と軸受け孔に連通する開放部とし、
基板を有する固定子組は該収容空間に配置し、
該軸受けを軸筒の軸受け孔に配置し、
該動翼ハブは、複数の翼片及び少なくとも１つの軸桿を有し、前記軸桿が前記軸受けの軸孔に挿入設置され、
該開放部を密閉部材によって密閉した
ファン装置。
を含むファン装置。
【請求項６】
前記収容空間は、開放側及び上部により閉塞された密閉側を有し、前記開放側は、前記開放部と連通する請求項５に記載のファン装置。
【請求項７】
前記固定子組は、複数の珪素鋼板及び複数のコイルを有し、前記基板は、前記固定子組底部に設けられた請求項５に記載のファン装置。
【請求項８】
前記密閉部材の一端は、前記固定子組の基板に係止した請求項５に記載のファン装置。
【請求項９】
前記基板は、破孔を有するか、破孔を有さない態様の何れかであることができる請求項５に記載のファン装置。
【請求項１０】
前記動翼ハブは、更にリブを有し、前記リブと軸受けの間に少なくとも１つの弾性部材を有する請求項５に記載のファン装置。
【請求項１１】
前記弾性部材は、バネである請求項１０に記載のファン装置。
【請求項１２】
前記軸桿の一端は、Ｃ型フック環を設けた請求項５に記載のファン装置。
【考案の詳細な説明】
【技術分野】
【０００１】
電子機器冷却用送風ファンの軸ソケット中管構造及びそのファン装置に関し、特に、回路基板を組み立てる時、孔を開設する必要なく軸ソケット上に配置でき、基板上の回路構造をより簡易にし、加工時間及び生産コストを大幅に節減する軸ソケット中管構造及びそのファン装置に関する。
【背景技術】
【０００２】
一般の電子３Ｃ製品において、その内部の電子部材は、動作時に多くの熱を発生し、高温状態を持続した場合、電子部材を損傷焼損させるので、電子部材の損傷を回避するため、一般には、少なくとも１つのヒートシンク部材（ヒートシンクフィン組又はヒートシンク）及びファン装置を組み合わせ、前記電子部材に対してヒートシンクを行い、電子部材の使用寿命を向上する。
【０００３】
図１は、従来技術のファン装置の立体分解図であり、前記ファン装置８は、少なくとも１つの動翼ハブ８１と、少なくとも１つの固定子組８２と、少なくとも１つの軸受け８３と、軸ソケット８４と、の組み合わせから構成され、前記軸受け８３は、軸孔８３１を有する。該軸ソケット８４は、軸筒８４１を有し、前記軸受け８３を収容する。前記動翼ハブ８１は、軸桿８１１及び複数枚数のファン８１２を有し、前記軸桿８１１は、該軸受け８３の軸孔８３１に挿入される。該固定子組８２２は、前記軸ソケット８４の珪素鋼板８２１一側に設けられ、前記基板８２２上に複数の制御回路を設け、前記固定子組８２及び前記軸ソケット８４の結合は、該軸受け８４外部に被せ設ける方式を採用するので、前記固定仕組８２の珪素鋼板組８２１及び基板８２２は、何れも中央箇所に孔８２１１，８２２１を開設する必要があり、該孔８２１１，８２２１を介して前記固定子組８２を該軸筒８４１の外部に安定固定可能に該軸ソケット８４と結合させることができるが、前記基板８２２に孔８２２１を開設後、前記基板８２２上部に設置された複数の制御回路は、該孔８２２１が設けられる位置を避ける必要があり、ファンの制御回路の設計が容易でなく、回路の配置空間を制約して実際に相当不便であり、更に、大量の基板材料を消費する。従って、従来技術は、以下の欠点を有する：
１．       
回路設計が容易でない；
２．       
回路配置が不便である；
３．       
材料を消費する。
【先行技術文献】
【特許文献】
【０００４】
【特許文献１】特開２００６−１８０６１７号公報
【考案の概要】
【考案が解決しようとする課題】
【０００５】
上記の問題を効果的に解決する為、本考案の目的は、基板に孔を開設する必要がなく、該基板と組み合わせることができる軸ソケット中管構造及びそのファン装置を提供することである。
【課題を解決するための手段】
【０００６】
上記の目的を達成する為、本考案は、軸ソケット中管構造及びそのファン装置を提供し、該軸ソケット中管構造は、基台と、軸筒と、密閉部材と、を含み、前記軸筒は、前記基台に接続し、且つ外側部及び内側部及び上部を有し、該上部は、該外側部及び内側部に接続し、収容空間は、該外側部及び内側部と該上部との間に形成され、軸受け孔が該内側部相対側の間に形成され、且つ該軸受け孔の該上部に対応する一端が開放端であり、開放部は、該軸筒の該基台に対応する箇所に形成され、且つ該上部の反対に位置する一端は、該収容空間及び軸受け孔を連通する。前記密閉部材は、該開放部に突き合わせられ、該軸筒の該基台に対応する一端を密閉する。
【考案の効果】
【０００７】
前記軸ソケット中管構造は、固定子組及び少なくとも１つの軸受け及び動翼ハブと組み合わせファン装置を構成でき、前記固定子組は、少なくとも１つの基板を有し、前記収容空間及び開放部中に収容設置され、前記密閉部材を介して前記開放部を密閉する。前記軸ソケット中管構造により前記基板を組み立てる時、孔を開設する必要がなく、軸ソケット上に配置でき、基板上の回路設計を容易で簡便にし、工程時間及び生産コストを大幅に節減できる。従って本考案は、以下の利点を有する：
１．組み立てが簡単である；
２．コストを節減する；
３．構造が簡単である。
【図面の簡単な説明】
【０００８】
【図１】従来技術のファン構造の立体分解図である。
【図２】本考案の軸ソケット中管構造の立体分解図である。
【図３】本考案の軸ソケット中管構造の立体組み合わせ図である。
【図４】本考案の軸ｓけっと中管構造の組み合わせ断面図である。
【図５】本考案のファン装置の立体分解図である。
【図６】本考案のファン装置の組み合わせ図である。
【図７】本考案のファン装置の分解断面図である。
【図８】本考案のファン装置の組み合わせ断面図である。
【考案を実施するための形態】
【０００９】
本考案の上記目的及びその構造と機能上の特性について、以下に図面に基づく実施例を挙げて説明する。
【００１０】
図２、図３、図４を参照し、図に示すように、本考案の軸ソケット中管構造は、ファン装置に適用され、該構造は、基台１と、軸筒１１と、密閉部材２と、から構成される。前記軸筒１１は、前記基台１に接続し、且つ外側部１１１と、内側部１１２と、上部１１３と、を有し、該上部１１３は、該外側部１１１及び内側部１１２に接続し、収容空間１２は、該外側部１１１及び内側部１１２と、該上部１１３と、の間に形成され、軸受け孔１３は、該内側部１１２の相対側の間に形成され、且つ該軸受け孔１３の該上部１１３側は開放端１１３１であり、これに対する該軸筒１１の該基台１に対応する側の開放部１４は、該上部１１３の反対側に位置して該収容空間１２及び軸受け孔１３に連通する。前記密閉部材２は、該開放部１４に突き合わせられ、該軸筒１１の該基台１に対応する側を密閉する。
【００１１】
前記基台１及び軸筒１１は一体に成形され、前記収容空間１２は、開放側１２１及び密閉側１２２を有し、前記開放側１２１は、前記開放部１４と連通し、前記軸筒１１の内側部１１２は、凸体１１２１を形成し、少なくとも１つの軸受け３（図５に示すように）を該凸体１１２１両側に配置することができる。
【００１２】
図５、図６、図７は、本考案のファン装置の説明図であり、図に示すように、本考案のファン装置は、基台１と、軸筒１１と、固定子組４と、少なくとも１つの軸受け３と、動翼ハブ５と、密閉部材２と、を具え、前記軸筒１１は、前記基台１に接続し、且つ外側部１１１と、内側部１１２と、上部１１３と、を有し、該上部１１３は、該外側部１１１及び内側部１１２に接続し、収容空間１２は、該外側部１１１、内側部１１２及び該上部１１３の間に形成され、軸受け孔１３は、該内側部相対側の間に形成され、且つ該軸受け孔１３の該上部１１３に対応する側は、開放端１１３１であり、開放部１４は、該軸筒１１の該基台１に対応する側に形成され、且つ該上部１１３の反対に位置する一端は、該収容空間１２及び軸受け孔１３に連通する。前記固定子組４は、通孔４１及び少なくとも１つの基板４２を有し、前記固定子組４は、前記収容空間１２に設けられる。前記軸受け３は、軸孔３１を有し、前記軸筒１１の軸受け孔１３内に配置される。前記動翼ハブ５は、複数枚の翼片５１及び少なくとも１つの軸桿５２を有し、該軸桿５２は、前記軸受け３の軸孔３１に挿入設置される。前記密閉部材２は、該開放部１４に突き合わせられ、該軸筒１１の該基台に対応する側を密閉する。
【００１３】
前記収容空間１２は、開放側１２１及び密閉側１２２を有し、前記開放側１２１は、前記密閉部１２２と連通し、前記密閉部材２で密閉される。
【００１４】
前記固定子組４は、複数の珪素鋼板４３及び複数のコイル４４を有し、前記基板４２は、前記固定子組４底部に設けられ、前記密閉部材２が前記固定子組４の基板４２を係止し、且つ基板４２は、破孔を有する及び破孔を有さない態様の何れかを選択することができる。
【００１５】
前記動翼ハブ５は、更にリブ５３を有し、前記リブ５３及び軸受け３の間に少なくとも１つの弾性部材６を有し、前記弾性部材６は、バネであり、前記軸桿５２一端は、Ｃ型フック環７を設ける。
【００１６】
上記のように、本考案の軸ソケット中管構造及びそのファン装置の使用時、確実にその効果及び目的を達成できるので、本考案は、実用性に優れた創作である。
【符号の説明】
【００１７】
１  基台
１１  軸筒
１１１  外側部
１１２  内側部
１１２１  凸体
１１３  上部
１１３１  開放端
１２  収容空間
１２１  開放側
１３  軸受け孔
１４  開放部
２  密閉部材
３  軸受け
３１  軸孔
４  固定子組
４１  通孔
４２  基板
４３  珪素鋼板
４４  コイル
５  動翼ハブ
５１  翼片
５２  軸桿
５３  リブ
６  弾性部材
７  Ｃ型フック環
８  ファン装置
８１  動翼ハブ
８１１  軸桿
８１２  翼片
８２  固定子組
８２１  珪素鋼板組
８２１１  孔
８２２  基板
８２２１  孔
８３  軸受け
８３１  軸孔
８４  軸ソケット
８４１  軸筒
【図１】
0003163119.tif 000003
【図２】
0003163119.tif 000004
【図３】
0003163119.tif 000005
【図４】
0003163119.tif 000006
【図５】
0003163119.tif 000007
【図６】
0003163119.tif 000008
【図７】
0003163119.tif 000009
【図８】
0003163119.tif 000010